(57)【要約】【課題】実用性を有する磁性を有するレンチの構造を提供する。【解決手段】  レンチ本体１０の少なくとも一端に作業頭部１１を形成し、作業頭部上には作業空間１２を形成し、前記作業空間を利用してボルト、ナットを挟持してその締緩を行うレンチにおいて、作業頭部１１の側端に収容孔２０を設け、前記収容孔に作業空間側に比較的小さな貫通孔２１を形成し、図示するように、磁性体３０と蓋体３１をそれぞれ前記収容孔内に設置し、前記蓋体によって磁性体を収容孔内に固定し、さらに研磨加工によって蓋体と作業頭部の該側面を平滑面とする。【選択図】  図１
0003107041.tif 000002
【実用新案登録請求の範囲】
【請求項１】
レンチの構造において、
レンチ本体の少なくとも一端に作業頭部が形成されており、作業頭部上には作業空間が形成されており、前記レンチ本体は前記作業空間内にボルト、ナットを挟持してその締緩を行うものであって、
前記作業頭部の側端には収容孔が設けられており、前記収容孔は作業空間側に比較的小さな貫通孔を形成しており、
磁性体と蓋体がそれぞれ前記収容孔内に設置されており、前記蓋体は磁性体を収容孔内に固定すると共に研磨加工によって蓋体と作業頭部の外面を平滑面としてなる、
ことを特徴とする磁性を有するレンチの構造。
【請求項２】
上記作業頭部の上部挟入面と下部挟入面の両方に収容孔を形成して、それぞれ蓋体と磁性体を設け、さらに吸着機能を強化してなることを特徴とする請求項１に記載の磁性を有するレンチの構造。
【請求項３】
上記蓋体と磁性体の間に弾性体を設置して挟持機能と衝撃吸収機能を有する磁性付着構造としたことを特徴とする請求項１に記載の磁性を有するレンチの構造。
【考案の詳細な説明】
【技術分野】
【０００１】
本考案は磁性を有するレンチの構造に係り、特に、緩めた後のボルト、ナットを吸着させることができるレンチの構造であり、作業頭部に設けられた収容孔に磁性体と蓋体が加わることにより、ボルト、ナットを吸着させることができ、レンチの機能構造には影響を与えないものであり、実用性と進歩性を有する考案であり、産業界に広め、社会に公開する価値を十分に有している磁性を有するレンチの構造に関わる。
【背景技術】
【０００２】
現在工具の中で最も広く使用されているものはレンチであり、トルクレンチであれ、ラチェットレンチであれ、一般の伝統的なレンチであれ、市場全体から言っても大きな役割を担っている。
【０００３】
レンチの改良においても各式の異なる構造機能のレンチが開発されているが、磁性を持つレンチで比較的有名なものは特許文献１に示すようなレンチであり、前記磁性を有するレンチはレンチ本体上に磁性体が設けられており、前記磁性体によってレンチ本体を作業場所に吸着させることができる。
【０００４】
しかし、前記構造には非常に多くの欠点が存在し、例えば
１  前記磁性体はレンチ本体外に露出しているために、使用者が使用している時、不注意により磁性体をぶつけてしまって磁性体が破壊されたり、或いは使用者が使用後にレンチ本体を放り投げた時、磁性体が破壊されたりする恐れがあり、このように前記磁性体が脱落したり、破壊されたりし、吸着機能性が容易に喪失すると言える。
【０００５】
２  単に磁性体をレンチ本体に設置した構造は非常に簡単なものであり、誰でも知っている技術内容であり、それが達成できる効果はレンチ本体が工具場所に吸着するという目的１つだけであり、その長所を十分に発揮できず、改善の余地がある。
【０００６】
以上のことに鑑み、本考案の考案者は積極的に開発研究を行い、伝統的な構造を改善して更なる実用性を持たせ、長年に渡るこの種の製品製造の経験と、研究と実験により、ついに本考案の磁性を有するレンチの構造を設計した。
【特許文献１】特開平９−１０９０４５号公報
【考案の開示】
【考案が解決しようとする課題】
【０００７】
本考案の目的は、更なる実用性を有する磁性を有するレンチの構造を提供することである。
【０００８】
本考案の次の目的は、レンチ本体に吸着機能を持たせるだけでなく、作動させるボルト、ナットも吸着させることができる磁性を有するレンチの構造を提供することである。
【０００９】
本考案のもう１つの目的は、磁性体が覆われており、容易に破損せず、全体の構造機能に影響を与えない磁性を有するレンチの構造を提供することである。
【００１０】
全体として本考案は、非常に優れた機能性を有しており、非常に優れた考案であり、産業上の利用価値を十分に有するものである。
【課題を解決するための手段】
【００１１】
前記課題を解決するために、請求項１の考案は、レンチ本体を備える磁性を有するレンチの構造において、
前記レンチ本体は、少なくとも一端に作業頭部が形成されており、作業頭部上には作業空間が形成されており、前記レンチ本体は前記作業空間を利用してボルト、ナットを挟持し、その締緩を行い、
前記作業頭部の側端には収容孔が設けられており、前記収容孔は作業空間側に比較的小さな貫通孔を形成しており、
磁性体と蓋体はそれぞれ前記収容孔内に設置されており、前記蓋体は磁性体を収容孔内に固定することができ、さらに研磨加工によって蓋体と作業頭部の接触面は平滑な面を呈しており、
以上の構造により、本考案を使用する時、使用者はレンチ本体を回転させ、作業頭部の回転によってボルト、ナットの締緩を行い、前記ボルト、ナットが緩んだ時、貫通孔から出る磁性体の磁性によって、熱くて汚い環境に落ちるであっただろうボルト、ナットを吸着し、さらに本考案の各構造上の機能を達成することができることを特徴とする磁性を有するレンチの構造である。
【００１２】
請求項２の考案は、作業頭部の上部挟入面と下部挟入面の両方に収容孔を形成することができ、それぞれ蓋体と磁性体を設け、さらに優れた吸着機能を達成することができることを特徴とする請求項１に記載の磁性を有するレンチの構造である。
【００１３】
請求項３の考案は、蓋体と磁性体の間に弾性体を設置することができ、挟持機能と衝撃吸収機能を有する磁性付着構造を達成することができることを特徴とする請求項１に記載の磁性を有するレンチの構造である。
【考案の効果】
【００１４】
本考案により、ボルト、ナット１３を緩めた後、ボルト、ナット１３が脱落するのを防ぐことができ、同時に構造の堅牢性も考慮されており、外観が平滑な設計により、磁性体３０が破壊される状況が発生しない磁性を有するレンチの構造を提供することができた。
【考案を実施するための最良の形態】
【００１５】
図１に示すように、本考案の磁性を有するレンチの構造は、レンチ本体１０を含み、
前記レンチ本体１０は、少なくとも一端に作業頭部１１が形成されており、作業頭部１１上には作業空間１２が形成されており、前記レンチ本体１０は前記作業空間１２内にボルト、ナット１３を挟持してその締緩を行うものであって、前記作業頭部１１の側端には収容孔２０が設けられており、前記収容孔２０は作業空間１２側に比較的小さな貫通孔２１を形成しており、図２、４に示すように、磁性体３０と蓋体３１はそれぞれ前記収容孔内２０に設置されており、前記蓋体３１は磁性体３０を収容孔２０内に固定し、さらに研磨加工によって蓋体と作業頭部の外面は平滑な面を呈しており、以上の構造によって、本考案を使用する時、図２、３に示すように、使用者はレンチ本体１０を回転させ、作業頭部１１の回転によってボルト、ナット１３の締緩を行い、前記ボルト、ナット１３が緩んだ時、貫通孔２１から作用する磁性体３０の磁力によって、熱くて汚い環境に落ちるであっただろうボルト、ナット１３を吸着し、このことにより非常に高い実用性を有する。
【００１６】
前記磁性体３０は、作業頭部１１内で覆われているので、消磁する問題は発生せず、さらにぶつけられたことによって破壊される状況が発生することはなく、蓋体３１と作業頭部１１を成型時に一体に研磨加工する構造により、無駄な加工時間とコストを費やすことがなく、平滑な面を呈することができ、見た目に美しく、実用的である。
【００１７】
もっとも問われる可能性が大きい問題として、形成される収容孔２０が作業頭部１１の強度に影響を与えるか与えないかという問題があるが、図３に示すように、一般にレンチ本体１０によってボルト、ナットの締緩を行う時、利用される接触点は作業頭部１１下部挟入面１２１と上部挟入面１２２のＡ点であり、故に収容孔２０をこの点を回避させて設置すれば影響はなく、現在材料の進歩により、前記作業頭部の材料は穴を開けた後においても十分なトルク値を達成できる。
【００１８】
従って、図５に示すように、本考案は、作業頭部１１の上部挟入面１２１と下部挟入面１２２の両方に収容孔２０を形成することもでき、さらに優れた吸着機能を達成することができる。
【００１９】
図６に示すように、本考案は、蓋体３１と磁性体３０の間に弾性体３２を設置することができ、挟持機能と衝撃吸収機能を有する磁性付着構造を達成することができる。
【００２０】
上述の内容から、本考案の磁性を有するレンチの構造は使用時において、公知構造の磁性を有するレンチの構造が有するような欠点は全くなく、さらに本考案をより強固なものに、より多くの変化を持つものにすることができ、本考案の磁性を有するレンチの構造は非常に高い実用性を達成でき、産業上の利用価値を有する。
【００２１】
さらに詳しく本考案の達成可能な機能と価値をご理解頂くために、以上の論点にさらに付け加えて説明する。
【００２２】
本考案の磁性を有するレンチの構造は、ボルト、ナット１３を緩めた後、ボルト、ナット１３が脱落するのを防ぐことができる。
【００２３】
本考案の磁性を有するレンチの構造は、同時に構造の強固性も考慮されており、外観が平滑な設計により、磁性体３０が破壊される状況は発生しない。
【００２４】
本考案の磁性を有するレンチの構造の主な特徴は、収容孔２０上に蓋体３１と磁性体３０を設置し、非常に高い実用性と機能性を持たせることができ、その構造は非常に配慮がされており、強固で実用的であり、公知構造のものとは比べ物にならないほどであり、業界から言えば画期的な構造であると言える。
【００２５】
本考案の磁性を有するレンチの構造は簡易であり、そのために製造コストを下げることができ、製品が達成できる効果と本質性において比較した場合、非常に優れており、本考案は産業上の利用価値を多大に有するということが言える。
【図面の簡単な説明】
【００２６】
【図１】本考案の磁性を有するレンチの構造の分解図である。
【図２】本考案の磁性を有するレンチの構造の断面図である。
【図３】本考案の磁性を有するレンチの構造の使用状態を示す図である。
【図４】本考案の磁性を有するレンチの構造の外観図である。
【図５】本考案の磁性を有するレンチの構造のもう１つの実施例を示す図である。
【図６】本考案の磁性を有するレンチの構造のさらにもう１つの実施例を示す図            である。
【符号の説明】
【００２７】
１０      レンチ本体
１１      作業頭部
１２      作業空間
１２１    下部挟入面
１２２    上部挟入面
１３      ボルト、ナット
２０      収容孔
２１      貫通孔
３０      磁性体
３１      蓋体
３２      弾性体
【図１】
0003107041.tif 000003
【図２】
0003107041.tif 000004
【図３】
0003107041.tif 000005
【図４】
0003107041.tif 000006
【図５】
0003107041.tif 000007
【図６】
0003107041.tif 000008